(57)【要約】【課題】本発明の目的は、ＺＩＦタイプのフラットケーブル用コネクタにおいて、フラットケーブルに異物があった場合に、異物により接触不良が生じるという問題を解消するフラットケーブル用コネクタを提供することである。【解決手段】本発明のフラットケーブル用コネクタ１００は、複数のコンタクト収容孔１０１ａを有するハウジング１０１と、挿入時に所定位置に到達したフラットケーブル１０を固定し、抜去時に固定を解除するアクチュエータ１０２と、複数のコンタクト収容孔１０１ａのそれぞれに２枚以上収容されるコンタクト端子１０４Ａ、１０４Ｂとを備え、複数のコンタクト収容孔１０１ａのそれぞれに２枚以上収容されるコンタクト端子１０４Ａ、１０４Ｂはそれぞれ独立して可動することを特徴とする。【選択図】図１
2017033705.tif 000002
【特許請求の範囲】
【請求項１】
複数のコンタクト収容孔を有するハウジングと、
挿入時に所定位置に到達したフラットケーブルを固定し、抜去時に固定を解除するアクチュエータと、
前記複数のコンタクト収容孔のそれぞれに２枚以上収容されるコンタクト端子であって、前記コンタクト端子のそれぞれには、前記フラットケーブルの電極が露出した部分であるコンタクト部に接触する接触突起部を有するコネクタ接触部と、回路基板に半田接続される半田接合部が形成され、前記複数のコンタクト収容孔のそれぞれに２枚以上収容されるコンタクト端子はそれぞれ独立して可動することを特徴とするコンタクト端子と
を備えることを特徴とするフラットケーブル用コネクタ。
【請求項２】
前記複数のコンタクト収容孔のそれぞれに２枚以上収容されるコンタクト端子の一方には、前記アクチュエータが前記フラットケーブルを固定するときに係合するアクチュエータロック部が設けられ、前記コンタクト端子の他方には、前記アクチュエータロック部が設けられず、短く切断された部分が形成されることを特徴とする請求項１に記載のフラットケーブル用コネクタ。
【請求項３】
前記一方のコンタクト端子に設けられた前記接触突起部と、前記他方のコンタクト端子に設けられた前記接触突起部は、前記フラットケーブルの挿入方向に対して、同じ位置に配置されることを特徴とする請求項１に記載のフラットケーブル用コネクタ。
【請求項４】
前記一方のコンタクト端子に設けられた前記接触突起部と、前記他方のコンタクト端子に設けられた前記接触突起部は、前記フラットケーブルの挿入方向に対して、異なる位置に配置されることを特徴とする請求項１に記載のフラットケーブル用コネクタ。
【請求項５】
前記一方のコンタクト端子に設けられた前記半田接合部と、前記他方のコンタクト端子に設けられた前記半田接合部は、前記コネクタ接触部に向かい異なる経路で接続されるように形成されることを特徴とする請求項１に記載のフラットケーブル用コネクタ。
【発明の詳細な説明】
【技術分野】
【０００１】
本発明は、ＦＰＣ／ＦＦＣ等のフラットケーブルに使用するフラットケーブル用コネクタに係り、特に、ＺＩＦタイプのフラットケーブル用コネクタに関する。
【背景技術】
【０００２】
ＦＰＣ／ＦＦＣ等のフラットケーブル用コネクタには、ＺＩＦ（Ｚｅｒｏ  Ｉｎｓｅｒｔｉｏｎ  Ｆｏｒｃｅ）タイプのコネクタが存在する。ＺＩＦタイプのコネクタでは、ＦＰＣ／ＦＦＣ等のフラットケーブルを無負荷で所定の位置まで挿入し、回転式またはスライド式等のアクチュエータを動かすことにより、フラットケーブルをコネクタのコンタクト端子に押し付けて固定する。この際、フラットケーブルやコンタクト端子に無理な力を加えることなく、フラットケーブルの挿抜を行うことができるという利点を有し、差し込みが甘く接触不良になることを防ぐことができるという利点も有する。
【発明の概要】
【発明が解決しようとする課題】
【０００３】
ＺＩＦタイプのコネクタでは、挿入時に力を加えることなく、フラットケーブルを挿入し、アクチュエータにより押し付けてフラットケーブルを固定するため、フラットケーブルにゴミ等の異物があった場合に、異物がワイピング等されて除去されることがない。このため、フラットケーブルに異物があった場合に、異物がフラットケーブルとコネクタのコンタクト端子との間に挟み込まれ、接触不良が生じるという問題があった。
【０００４】
従って本発明の目的は、ＺＩＦタイプのフラットケーブル用コネクタに従来からあった、フラットケーブルに異物があった場合に、異物が除去されることなく、フラットケーブルとコネクタのコンタクト端子の間に挟み込まれ、接触不良が生じるという問題を解消できるフラットケーブル用コネクタを提供することである。
【課題を解決するための手段】
【０００５】
上記課題を解決するために、本発明のフラットケーブル用コネクタは、複数のコンタクト収容孔を有するハウジングと、挿入時に所定位置に到達したフラットケーブルを固定し、抜去時に固定を解除するアクチュエータと、上記複数のコンタクト収容孔のそれぞれに２枚以上収容されるコンタクト端子であって、上記コンタクト端子のそれぞれには、上記フラットケーブルの電極が露出した部分であるコンタクト部に接触する接触突起部を有するコネクタ接触部と、回路基板に半田接続される半田接合部が形成され、上記複数のコンタクト収容孔のそれぞれに２枚以上収容されるコンタクト端子はそれぞれ独立して可動することを特徴とするコンタクト端子とを備えることを特徴とする。
【０００６】
また、上記複数のコンタクト収容孔のそれぞれに２枚以上収容されるコンタクト端子の一方には、上記アクチュエータが前記フラットケーブルを固定するときに係合するアクチュエータロック部が設けられ、上記コンタクト端子の他方には、上記アクチュエータロック部が設けられず、短く切断された部分が形成されるものとしてもよい。
【０００７】
また、上記一方のコンタクト端子に設けられた上記接触突起部と、上記他方のコンタクト端子に設けられた上記接触突起部は、上記フラットケーブルの挿入方向に対して、同じ位置に配置されるものとしてもよい。
【０００８】
また、上記一方のコンタクト端子に設けられた上記接触突起部と、上記他方のコンタクト端子に設けられた上記接触突起部は、上記フラットケーブルの挿入方向に対して、異なる位置に配置されるものとしてもよい。
【０００９】
また、上記一方のコンタクト端子に設けられた上記半田接合部と、上記他方のコンタクト端子に設けられた上記半田接合部は、上記コネクタ接触部に向かい異なる経路で接続されるように形成されるものとしてもよい。
【発明の効果】
【００１０】
本発明のフラットケーブル用コネクタによれば、複数のコンタクト収容孔のそれぞれに２枚以上のコンタクト端子を収容し、収容される２枚以上のコンタクト端子がそれぞれ独立して可動するため、フラットケーブルのコンタクト端子に異物が存在した場合でも、一方のコンタクト端子が接触不良を起こしても、他方のコンタクト端子が接触する可能性が残り、異物が存在した場合の接触不良の可能性を下げることができる。
【図面の簡単な説明】
【００１１】
【図１】図１（ａ）は、本発明の第１の実施形態に係るフラットケーブル用コネクタにフラットケーブルを挿入した状態を示す斜視図であり、図１（ｂ）は、図１（ａ）のＩｂ−Ｉｂに示す部分の断面図である。
【図２】図２（ａ）は、本発明の第１の実施形態に係るフラットケーブル用コネクタの一部を切り取った状態を示す斜視図であり、図２（ｂ）は、図２（ａ）に示すフラットケーブル用コネクタの一部を切り取った部分の断面図である。
【図３】図３（ａ）は、形状の異なるコンタクト端子を使用した本発明の第１の実施形態に係るフラットケーブル用コネクタの別の例の一部を切り取った状態を示す斜視図であり、図３（ｂ）は、図３（ａ）に示すフラットケーブル用コネクタの一部を切り取った部分の断面図である。
【図４】図４（ａ）は、本発明のフラットケーブル用コネクタのアクチュエータの斜視図であり、図４（ｂ）は、アクチュエータの平面図であり、図４（ｃ）は、アクチュエータの正面図であり、図４（ｄ）は、アクチュエータの底面図であり、図４（ｅ）は、アクチュエータの側面図である。
【図５】フラットケーブルの平面図である。
【図６】本発明の第２の実施形態に係るフラットケーブル用コネクタにフラットケーブルを挿入しアクチュエータで固定した状態を示す斜視図である。
【図７】本発明の第２の実施形態に係るフラットケーブル用コネクタにフラットケーブルを挿入しアクチュエータの固定を解除した状態を示す斜視図である。
【図８】図８（ａ）は、本発明の第２の実施形態に係るフラットケーブル用コネクタの一方のコンタクト端子の形状を示す図であり、図８（ｂ）は、他方のコンタクト端子の形状を示す図である。
【図９】本発明のフラットケーブル用コネクタのＴＤＲ法によるインピーダンス特性を示す図である。
【図１０】本発明のフラットケーブル用コネクタのＳ−パラメータの特性を示す図である。
【発明を実施するための形態】
【００１２】
以下、本発明の実施形態を、図面を参照して説明する。
【００１３】
尚、以下の説明における上下方向の概念は、添付の図面における上下に対応しており、各部材の相対的な位置関係を示すものであって、絶対的な位置関係を示すものではない。また、以下の説明において、便宜的にフラットケーブルが挿入される方向を「先端」と示し、フラットケーブルが挿入される方向の逆方向を「後端」と示し、左右方向とは、フラットケーブルが挿入される方向に対し直交する方向を「左右」を示すこととするが、絶対的な位置関係を示すものではない。
【００１４】
まず、本発明の第１の実施形態について説明する。
【００１５】
図１（ａ）は、本発明の第１の実施形態に係るフラットケーブル用コネクタ１００にフラットケーブル１０を挿入した状態を示す斜視図であり、図１（ｂ）は、図１（ａ）のＩｂ−Ｉｂに示す部分の断面図であり、図２（ａ）は、本発明の第１の実施形態に係るフラットケーブル用コネクタ１００の一部を切り取った状態を示す斜視図であり、図２（ｂ）は、図２（ａ）に示すフラットケーブル用コネクタ１００の一部を切り取った部分の断面図である。
【００１６】
図１（ａ）乃至図２（ｂ）において、フラットケーブル用コネクタ１００は、複数のコンタクト収容孔１０１ａを有するハウジング１０１と、挿入時に所定位置に到達したフラットケーブル１０を固定し、抜去時に固定を解除するアクチュエータ１０２と、ハウジング１０１の両側面に設けられ、フラットケーブル用コネクタ１００を図示しない回路基板に固定する固定金具１０３と、複数のコンタクト収容孔１０１ａのそれぞれに２枚を圧入により収容されるコンタクト端子１０４Ａ、１０４Ｂとを備える。なお、ここでは、コンタクト収容孔１０１ａのそれぞれに２枚のコンタクト端子１０４Ａ、１０４Ｂが収容されるものとしたが、これには限定されず、２枚以上のコンタクト端子が収容されればよい。
【００１７】
図５はフラットケーブル１０の平面図である。
【００１８】
図１（ｂ）、図５に示すように、フラットケーブル１０は、先端側の図１（ｂ）に示す下側に被覆が外され内部の複数の電極が露出されたコンタクト部１０ａが形成され、フラットケーブル１０の先端近傍の両脇には、係合突起部１０ｂが形成される。なお、係合突起部１０ｂは、ハウジング１０１に設けられた切り欠き部に係合するようにこれに合わせて形成される。このため、ハウジング１０１の切り欠き部に合う形状であれば、その他の形状でも構わず、また、ハウジング１０１に切り欠き部を設けず、係合突起部１０ｂを設けなくても構わない。また、図１（ｂ）に示すように、フラットケーブル１０の先端側のコンタクト部１０ａの裏側にはコンタクト部１０ａより広い面積を有する補強板１０ｃが設けられ、フラットケーブル１０とフラットケーブル用コネクタ１００の接触を補強している。
【００１９】
図１（ａ）乃至図２（ｂ）に示すように、ハウジング１０１は、フラットケーブル１０が挿入される方向である先端側にアクチュエータ１０２が収容される開口部を有する。開口部の側壁には、後述するアクチュエータ１０２の両側面に設けられた軸部１０２ａが挿入される軸受部１０１ｂが設けられる。アクチュエータ１０２は、この軸受部１０１ｂに挿入された軸部１０２ａを中心に回転動作し、フラットケーブル１０の固定と解除を行う。また開口部の後端側には、フラットケーブル１０のコンタクト部１０ａに設けられた電極の数と同じ数のコンタクト収容孔１０１ａが形成される。
【００２０】
図４（ａ）は、本発明のフラットケーブル用コネクタ１００のアクチュエータ１０２の斜視図であり、図４（ｂ）は、アクチュエータ１０２の平面図であり、図４（ｃ）は、アクチュエータ１０２の正面図であり、図４（ｄ）は、アクチュエータ１０２の底面図であり、図４（ｅ）は、アクチュエータ１０２の側面図である。
【００２１】
図１（ａ）乃至図２（ｂ）、及び、図４（ａ）乃至図４（ｅ）に示すように、アクチュエータ１０２には、先端側の中央に操作者がアクチュエータ１０２を回転動作させ、フラットケーブル１０の固定と解除を行う操作部１０２ｂと、後端側の両側面に設けられた円柱形状の突起部である軸部１０２ａとが設けられる。また、アクチュエータ１０２の後端側には、アクチュエータ１０２の固定解除時に、後述するコンタクト端子１０４Ａのアクチュエータロック部１０４Ａｄが挿入される複数の開口部１０２ｃと、開口部１０２ｃの後端側には、アクチュエータ１０２の固定時にアクチュエータロック部１０４Ａｄが係合する係合部１０２ｄが設けられる。また、図４（ｄ）に示す底面側の開口部１０２ｃの間には、アクチュエータロック部１０４Ａｄをガイドする複数の細長い突起部である櫛状突起部１０２ｅが形成される。
【００２２】
図１（ａ）乃至図２（ｂ）に示すように、複数のコンタクト収容孔１０１ａのそれぞれに収容されるコンタクト端子１０４Ａ、１０４Ｂのそれぞれには、フラットケーブル１０の電極が露出した部分であるコンタクト部１０ａに接触する接触突起部１０４Ａｂ、１０４Ｂｂを有するコネクタ接触部１０４Ａａ、１０４Ｂａと、回路基板に半田接続される半田接合部１０４Ａｃ、１０４Ｂｃが形成される。これらのコンタクト端子１０４Ａ、１０４Ｂは、独立して可動する。これにより、フラットケーブル１０のコンタクト部１０ａの複数の電極のそれぞれについて、独立して可動する２本以上のコンタクト端子１０４Ａ、１０４Ｂが接触することになる。従って、フラットケーブル１０のコンタクト部１０ａにゴミ等の異物があった場合に、一方のコンタクト端子が異物により接触不良となっても、独立して可動する他方のコンタクト端子がフラットケーブル１０のコンタクト部１０ａの電極に接触する可能性があるため、異物による接触不良を起こす可能性が低くなる。
【００２３】
また、複数のコンタクト収容孔１０１ａのそれぞれに２枚収容されるコンタクト端子のうちの一方であるコンタクト端子１０４Ａには、コネクタ接触部１０４Ａａの上方に伸びるアクチュエータロック部１０４Ａｄが設けられる。アクチュエータロック部１０４Ａｄは、アクチュエータ１０２の固定解除時に、アクチュエータ１０２に設けられた開口部１０２ｃに挿入され、アクチュエータ１０２の固定時に、アクチュエータ１０２に設けられた係合部１０２ｄに係合される。これによりアクチュエータ１０２は、固定時に図１（ａ）乃至図２（ｂ）に示すように、フラットケーブル用コネクタ１００の上面が平坦になるように固定される。
【００２４】
また、他方のコンタクト端子１０４Ｂには、アクチュエータロック部が設けられず、短く切断された部分１０４Ｂｄが形成される。これは、コンタクト端子全体の体積が大きくなると高周波での特性が悪化するため、他方のコンタクト端子１０４Ｂのみ形状を小さくして、高周波での特性を改善させるためである。
【００２５】
この点について、図９、図１０を使用して説明する。図９は、本発明のフラットケーブル用コネクタ１００のＴＤＲ法によるインピーダンス特性を示す図であり、図１０は、本発明のフラットケーブル用コネクタのＳ−パラメータの特性を示す図である。
【００２６】
図９において、横軸は時間（ｓ）を示し、縦軸はインピーダンス（Ω）を示す。ＴＤＲ（Ｔｉｍｅ  Ｄｏｍａｉｎ  Ｒｅｆｌｅｃｔｏｍｅｔｒｙ：時間領域反射）法は、ケーブルやプリント基板の配線などのインピーダンス特性を測定する手法である。ＴＤＲ法により、伝送線路上の任意の位置におけるインピーダンス特性が分かるため、ケーブル、プリント基板、その他部品の性能を評価できる。
【００２７】
図９に示すように、１．７５ＧＨｚ  ２００ｐｓ  １０−９０％において、インピーダンス特性が１００Ω±１５  ２００ｐｓ  １０−９０％の範囲内に入っており、本発明のフラットケーブル用コネクタ１００は、１．７５ＧＨｚで良好な性能を得られたことがわかる。なお、図示しないが同様の評価で、従来品であるコンタクト端子１０４Ａと同形状の一枚差しのフラットケーブル用コネクタでは、１ＧＨｚまでしか性能が得られず、本発明のフラットケーブル用コネクタ１００は、高周波特性が改善されていることがわかる。
【００２８】
図１０において、横軸は周波数（ＧＨｚ）を示し、縦軸は減衰量（ｄＢ）を示す。インサーションロスとリターンロスは、高周波回路や高周波部品の特性を表す回路網パラメータであり、２つを合わせてＳ−パラメータとして使用される。−１５ｄＢにある点線は基準値であり、リターンロスがこれより低い値であれば、使用可能と評価される。図１０に示されるように、リターンロスが３ＧＨｚ付近で基準値と交差しているため、本発明のフラットケーブル用コネクタ１００が３ＧＨｚ付近まで利用可能であることがわかる。
【００２９】
なお、本実施形態では、高周波特性を改善するために、２種類の形状を有するコンタクト端子１０４Ａ、１０４Ｂを使用したが、２つのコンタクト端子が独立して可動していれば、異物による接触不良を改善する効果が得られるため、同一形状のコンタクト端子を使用しても構わない。
【００３０】
また、本発明のフラットケーブル用コネクタでは、ハウジングに設けられた収容孔に２枚以上のコンタクト端子を収容する構造なので、従来品のコンタクト端子１枚差しのフラットケーブル用コネクタのハウジングを共用できる。また、コンタクト端子１枚差しの場合に、１枚のコンタクト端子に２箇所の接触突起部を設け、異物の混入による接触不良を防止する方法も考えられる。しかしこの方法では、コンタクト端子が長くなり、また、一方の接触突起部に接触不良を起こした場合には、伝送特性が悪くなる、あるいは、バネ圧が弱くなり接触圧力を確保できないなどの問題が生ずる。従って、本発明のフラットケーブル用コネクタでは、従来品と比較してコンパクト化できると共に、上述の問題点を解消できるという効果を奏する。また、コンタクト端子の形状は、本実施形態の形状には限定されない。別の形状のコンタクト端子の例を図３に示す。
【００３１】
図３（ａ）は、コンタクト端子１０４Ａ、１０４Ｂと形状の異なるコンタクト端子３０４Ａ、３０４Ｂを使用した本発明の第１の実施形態に係るフラットケーブル用コネクタの別の例３００の一部を切り取った状態を示す斜視図であり、図３（ｂ）は、図３（ａ）に示すフラットケーブル用コネクタ３００の一部を切り取った部分の断面図である。
【００３２】
図３（ａ）及び図３（ｂ）において、フラットケーブル用コネクタ３００は、コンタクト端子３０４Ａ、３０４Ｂを使用していることを除いて、フラットケーブル用コネクタ１００と同じ構成を有している。同一の構成要素には同一の符号を付し、説明を省略する。
【００３３】
図３（ａ）及び図３（ｂ）に示すように、コンタクト端子１０４Ａ、１０４Ｂでは、接触突起部１０４Ａｂ、１０４Ｂｂがフラットケーブル１０の挿入方向に対して、同じ位置に配置されていたのに対して、コンタクト端子３０４Ａ、３０４Ｂでは、接触突起部３０４Ａｂ、３０４Ｂｂがフラットケーブル１０の挿入方向に対して、異なる位置に配置されていることが異なる。
【００３４】
このように、フラットケーブル１０のコンタクト部１０ａに接触する接触突起部３０４Ａｂ、３０４Ｂｂがフラットケーブル１０の挿入方向に対して、異なる位置に配置されることにより、コンタクト部１０ａの電極の挿入方向の横方向だけでなく、縦方向にも接点の間隔を広げることができ、コンタクト部１０ａに異物が存在した場合に発生する接触不良の可能性をさらに下げることができる。
【００３５】
以上のように、第１の実施形態のフラットケーブル用コネクタによれば、複数のコンタクト収容孔のそれぞれに２枚以上のコンタクト端子を収容し、収容される２枚以上のコンタクト端子がそれぞれ独立して可動するため、フラットケーブルのコンタクト端子に異物が存在した場合でも、一方のコンタクト端子が接触不良を起こしても、他方のコンタクト端子が接触する可能性が残り、異物が存在した場合の接触不良の可能性を下げることができる。
【００３６】
また、接触突起部が、フラットケーブルの挿入方向に対して、異なる位置に配置されることにより、コンタクト部の電極の挿入方向の横方向だけでなく、縦方向にも接点の間隔を広げることができ、コンタクト部に異物が存在した場合に発生する接触不良の可能性をさらに下げることができる。
【００３７】
また、従来の１枚のコンタクト端子に２箇所の接触突起部を設け、異物の混入による接触不良を防止する方法と比較して、コンパクト化できると共に、一方の接触突起部に接触不良が発生した場合に、伝送特性が悪くなる、あるいは、バネ圧が弱くなり接触圧力を確保できないなどの問題点を解消できるという効果を奏する。
【００３８】
次に、本発明の第２の実施形態について説明する。
【００３９】
図６は、本発明の第２の実施形態に係るフラットケーブル用コネクタ６００にフラットケーブル１０を挿入しアクチュエータ１０２で固定した状態を示す斜視図であり、図７は、本発明の第２の実施形態に係るフラットケーブル用コネクタ６００にフラットケーブル１０を挿入しアクチュエータ１０２の固定を解除した状態を示す斜視図である。図８（ａ）は、本発明の第２の実施形態に係るフラットケーブル用コネクタの一方のコンタクト端子６０４Ａの形状を示す図であり、図８（ｂ）は、他方のコンタクト端子６０４Ｂの形状を示す図である。
【００４０】
図６乃至図８（ｂ）において、フラットケーブル用コネクタ６００は、コンタクト端子６０４Ａ、６０４Ｂを使用していることを除いて、フラットケーブル用コネクタ１００と同じ構成を有している。同一の構成要素には同一の符号を付し、説明を省略する。
【００４１】
図８（ａ）及び図８（ｂ）に示すように、コンタクト端子６０４Ａ、６０４Ｂは、回路基板に半田接続される半田接合部６０４Ａｃ、６０４Ｂｃの形状が、半田接合部１０４Ａｃ、１０４Ｂｃの形状と異なる。半田接合部６０４Ａｃ、６０４Ｂｃは、コネクタ接触部６０４Ａａ、６０４Ｂａに向かい異なる経路で接続されるように形成される。つまり、半田接合部６０４Ａｃは、回路基板に半田接続される接点部から垂直に上方に伸びる形状を有しており、半田接合部６０４Ｂｃは、回路基板に半田接続される接点部から横に伸びそこから上方に伸びる形状を有している。このため、半田接合部６０４Ａｃ、６０４Ｂｃは重ならない部分を介してコネクタ接触部６０４Ａａ、６０４Ｂａに向かい接続される。
【００４２】
このように、半田接合部６０４Ａｃ、６０４Ｂｃがコネクタ接触部６０４Ａａ、６０４Ｂａに向かい異なる経路で、半田接合部６０４Ａｃ、６０４Ｂｃが重ならない部分を介して接続されるように形成されることにより、半田接続時に使用される半田フラックスが半田接合部６０４Ａｃ、６０４Ｂｃの間を毛細管現象により吸い上げられることがなくなる。半田フラックスが半田接合部の間に吸い上げられると、２本のコンタクト端子が独立して可動しづらくなる可能性があるが、このような形状とすることにより２本のコンタクト端子が独立して可動しやすくなる。
【００４３】
以上のように、第２の実施形態のフラットケーブル用コネクタによっても、第１の実施形態のフラットケーブル用コネクタと同様の効果を奏することができる。
【００４４】
またさらに、半田接合部が、コネクタ接触部に向かい異なる経路で接続されるように形成されることにより、半田接続時に使用される半田フラックスが半田接合部の間を吸い上げられることがなくなり、２本のコンタクト端子が独立して可動しやすくなる。
【００４５】
以上のように、本発明のフラットケーブル用コネクタによれば、複数のコンタクト収容孔のそれぞれに２枚以上のコンタクト端子を収容し、収容される２枚以上のコンタクト端子がそれぞれ独立して可動するため、フラットケーブルのコンタクト端子に異物が存在した場合でも、一方のコンタクト端子が接触不良を起こしても、他方のコンタクト端子が接触する可能性が残り、異物が存在した場合の接触不良の可能性を下げることができる。
【００４６】
また、接触突起部がフラットケーブルの挿入方向に対して、異なる位置に配置されることにより、コンタクト部の電極の挿入方向の横方向だけでなく、縦方向にも接点の間隔を広げることができ、コンタクト部に異物が存在した場合に発生する接触不良の可能性をさらに下げることができる。
【００４７】
またさらに、半田接合部が、コネクタ接触部に向かい異なる経路で接続されるように形成されることにより、半田接続時に使用される半田フラックスが半田接合部の間を吸い上げられることがなくなり、２本のコンタクト端子が独立して可動しやすくなる。
【符号の説明】
【００４８】
１０  フラットケーブル
１０ａ  コンタクト部
１０ｂ  係合突起部
１０ｃ  補強板
１００  フラットケーブル用コネクタ
１０１  ハウジング
１０１ａ  コンタクト収容孔
１０１ｂ  軸受部
１０２  アクチュエータ
１０２ａ  軸部
１０２ｂ  操作部
１０２ｃ  開口部
１０２ｄ  係合部
１０２ｅ  櫛状突起部
１０３  固定金具
１０４Ａ、１０４Ｂ、３０４Ａ、３０４Ｂ、６０４Ａ、６０４Ｂ  コンタクト端子
１０４Ａａ、１０４Ｂａ、３０４Ａａ、３０４Ｂａ、６０４Ａａ、６０４Ｂａ  コネクタ接触部
１０４Ａｂ、１０４Ｂｂ、３０４Ａｂ、３０４Ｂｂ、６０４Ａｂ、６０４Ｂｂ  接触突起部
１０４Ａｃ、１０４Ｂｃ、３０４Ａｃ、３０４Ｂｃ、６０４Ａｃ、６０４Ｂｃ  半田接合部
１０４Ａｄ、３０４Ａｄ、６０４Ａｄ  アクチュエータロック部
１０４Ｂｄ、３０４Ｂｄ、６０４Ｂｄ  短く切断された部分
【図１】
2017033705.tif 000003
【図２】
2017033705.tif 000004
【図３】
2017033705.tif 000005
【図４】
2017033705.tif 000006
【図５】
2017033705.tif 000007
【図６】
2017033705.tif 000008
【図７】
2017033705.tif 000009
【図８】
2017033705.tif 000010
【図９】
2017033705.tif 000011
【図１０】
2017033705.tif 000012